(57)【要約】【課題】健康促進のための運動に対する意欲を高めることができる健康管理システムを提供する。【解決手段】リライタブルカード４０をリライタブルカード処理装置にセットし、歩数計３５によって計測した歩数をパソコン３１にて入力すると、ユーザ識別子、歩数等を有する運動量データが管理コンピュータ２１に送信される。管理コンピュータ２１は、運動量データ中の運動量を換算情報記憶部２２の換算情報に従って消費エネルギーに換算し、その消費エネルギーに基づいて、リライタブルカード４０に記録する画像の表示情報を生成する。そして、管理コンピュータ２１は、その表示情報をパソコン３１に送信し、リライタブルカード処理装置を用いてリライタブルカード４０の画像記録面に画像を形成する。【選択図】　　　図１
2004121530.tif 000002
【特許請求の範囲】
【請求項１】
ユーザの運動量に基づいてリライタブルカードに画像を形成することによりユーザの健康状態を管理する健康管理システムであって、
前記健康管理システムが、
入力された前記ユーザの運動量を基準単位系で換算した換算量を算出するエネルギー換算手段と、
前記換算量を積算した積算換算量に基づいて表示情報を生成する表示情報生成手段と、
前記表示情報に基づいて、前記リライタブルカード上にリライタブルカード処理手段を用いて画像を形成する画像形成手段と
を有することを特徴とする健康管理システム。
【請求項２】
前記エネルギー換算手段は、運動量を歩行距離に関する換算量に換算することを特徴とする請求項１に記載の健康管理システム。
【請求項３】
前記表示情報生成手段は、前記歩行距離に関する換算量に基づいて、仮想コースにおける前記ユーザの位置を表示することを特徴とする請求項２に記載の健康管理システム。
【請求項４】
前記仮想コースは、現実の地図上のコースであり、
前記表示情報は、前記地図上のコースにおける前記ユーザの仮想の位置に関する情報であることを特徴とする請求項３に記載の健康管理システム。
【請求項５】
前記エネルギー換算手段は、運動量を消費エネルギーに関する換算量に換算することを特徴とする請求項１に記載の健康管理システム。
【請求項６】
前記表示情報は、前記消費エネルギーに基づいて生成される予想体型に関する情報であることを特徴とする請求項５に記載の健康管理システム。
【請求項７】
前記エネルギー換算手段は、前記ユーザの食物摂取量が入力された場合、前記基準単位系で換算した摂取換算量を算出し、
前記表示情報生成手段は、前記積算換算量から前記摂取換算量を差し引いて算出した換算量に基づいて表示情報を生成することを特徴とする請求項５又は６に記載の健康管理システム。
【請求項８】
前記表示情報における前記予想体型は、さらに前記ユーザの身体情報に基づいて生成することを特徴とする請求項６又は７に記載の健康管理システム。
【発明の詳細な説明】
【０００１】
【発明の属する技術分野】
本発明は、健康促進のための健康管理システムに関する。
【０００２】
【従来の技術】
従来、健康促進のために歩数計を利用した歩数の計測が一般に行われており、計測した歩数の表示方法によりユーザの健康促進のための歩行に対する意欲を高めようとする工夫が行われている。このような工夫として、例えば、仮想コースを液晶画面に表示するとともに、計測した歩数を距離に換算し、出発地点からその距離に対応する地点まで示す機能を有する歩数計が知られている（例えば、特許文献１。）。
【０００３】
【特許文献１】
特開２００１−２９６１３９号公報（第３頁、図２）
【０００４】
【発明が解決しようとする課題】
しかし、歩数計に備えられた液晶表示画面では、解像度が荒いため、細かい表示を行うことができない。また、仮想コースを表示する液晶表示画面は歩数計によって計測される運動量にしか対応していない。従って、その他の運動を行った場合、その運動量を反映できない。さらに、歩数計に備えたプログラムにより限定された表示のみしか行うことができないため、ユーザの健康促進のための運動に対する意欲を、あまり高めることができない。
【０００５】
本発明は、上記問題点を解決するためになされたものであり、その目的は、健康促進のための運動に対する意欲を高めることができる健康管理システムを提供することにある。
【０００６】
【課題を解決するための手段】
上記問題点を解決するために、請求項１に記載の発明は、ユーザの運動量に基づいてリライタブルカードに画像を形成することによりユーザの健康状態を管理する健康管理システムであって、前記健康管理システムが、入力された前記ユーザの運動量を基準単位系で換算した換算量を算出するエネルギー換算手段と、前記換算量を積算した積算換算量に基づいて表示情報を生成する表示情報生成手段と、前記表示情報に基づいて、前記リライタブルカード上にリライタブルカード処理手段を用いて画像を形成する画像形成手段とを有することを要旨とする。
【０００７】
請求項２に記載の発明は、請求項１に記載の健康管理システムにおいて、前記エネルギー換算手段は、運動量を歩行距離に関する換算量に換算することを要旨とする。
【０００８】
請求項３に記載の発明は、請求項２に記載の健康管理システムにおいて、前記表示情報生成手段は、前記歩行距離に関する換算量に基づいて、仮想コースにおける前記ユーザの位置を表示することを要旨とする。
【０００９】
請求項４に記載の発明は、請求項３に記載の健康管理システムにおいて、前記仮想コースは、現実の地図上のコースであり、前記表示情報は、前記地図上のコースにおける前記ユーザの仮想の位置に関する情報であることを要旨とする。
【００１０】
請求項５に記載の発明は、請求項１に記載の健康管理システムにおいて、前記エネルギー換算手段は、運動量を消費エネルギーに関する換算量に換算することを要旨とする。
【００１１】
請求項６に記載の発明は、請求項５に記載の健康管理システムにおいて、前記表示情報は、前記消費エネルギーに基づいて生成される予想体型に関する情報であることを要旨とする。
【００１２】
請求項７に記載の発明は、請求項５又は６に記載の健康管理システムにおいて、前記エネルギー換算手段は、前記ユーザの食物摂取量が入力された場合、前記基準単位系で換算した摂取換算量を算出し、前記表示情報生成手段は、前記積算換算量から前記摂取換算量を差し引いて算出した換算量に基づいて表示情報を生成することを要旨とする。
【００１３】
請求項８に記載の発明は、請求項６又は７に記載の健康管理システムにおいて、前記表示情報における前記予想体型は、さらに前記ユーザの身体情報に基づいて生成することを要旨とする。
【００１４】
（作用）
請求項１に記載の発明によれば、健康管理システムは、入力されたユーザの運動量を基準単位系で換算した換算量を算出し、その換算量を積算した積算換算量に基づいて表示情報を生成する。そして、健康管理システムは、その表示情報に基づいて、リライタブルカード上にリライタブルカード処理手段を用いて画像を形成する。従って、ユーザの運動量に基づいて算出した積算換算量を視認可能に記録でき、ユーザの健康促進のための運動に対する意欲を高めることができる。
【００１５】
請求項２に記載の発明によれば、運動量を歩行距離に関する換算量に換算する。このため、ユーザの運動量を歩行距離として示すことができる。
請求項３に記載の発明によれば、歩行距離に関する換算量に基づいて、仮想コースにおける前記ユーザの位置を表示する。このため、ユーザの運動量を、仮想コースにおけるユーザの歩行距離として示すことができる。
【００１６】
請求項４に記載の発明によれば、仮想コースは、現実の地図上のコースであり、表示情報は、その地図上のコースにおけるユーザの仮想の位置に関する情報である。このため、ユーザの運動量を、現実の地図上のコースにおけるユーザの仮想の位置として示すことができる。
【００１７】
請求項５に記載の発明によれば、運動量を消費エネルギーに関する換算量に換算する。このため、ユーザの運動量を、ユーザの消費エネルギーとして示すことができる。
【００１８】
請求項６に記載の発明によれば、表示情報は、消費エネルギーに基づいて生成される予想体型に関する情報である。このため、ユーザの運動量に従った消費エネルギーに基づいて、ユーザの予想体型を視認可能に記録できる。
【００１９】
請求項７に記載の発明によれば、ユーザの食物摂取量が入力された場合、基準単位系で換算した摂取換算量を算出し、積算換算量から摂取換算量を差し引いて算出した換算量に基づいて表示情報を生成する。このため、ユーザの食物摂取量も加味して表示を行うことができる。
【００２０】
請求項８に記載の発明によれば、表示情報における予想体型は、さらにユーザの身体情報に基づいて生成する。このため、ユーザの身体情報も加味して予想体型を表示できる。
【００２１】
【発明の実施の形態】
以下、本発明を具体化した一実施形態を図１〜図９に従って説明する。本実施形態では、ユーザの運動量に基づいて仮想歩行距離やユーザの予想体型を示す画像をリライタブルカードに記録することにより、ユーザの健康促進を図る健康管理システムとして説明する。ここで、リライタブルカードとは、表面に画像を形成することにより、任意の情報を視認可能に記録することができるカードであって、その画像の消去及び再書き込みを行うことができるものである。このリライタブルカードは、さらに、電子情報を記録する。本実施形態では、電子情報を磁気記録面に記録する磁気カードについて説明する。
【００２２】
図１に示すように、健康管理システムは、サービスセンタ２０、パソコン３１、運動器具３２及び身体測定機器３３を備えている。パソコン３１、運動器具３２、身体測定機器３３には、それぞれ、リライタブルカード４０の読み取り及び書き込みが可能なリライタブルカード処理手段としてのリライタブルカード処理装置５０（図２参照）が接続されている。そして、パソコン３１、運動器具３２、身体測定機器３３は、インターネット３０を介してサービスセンタ２０に接続されている。
【００２３】
パソコン３１は、データの入力、サービスセンタ２０との間でのデータの送受信、データの表示を行う。このため、このパソコン３１は、図示しない制御手段（ＣＰＵ）、記憶手段（ＲＡＭ、ＲＯＭ、ハードディスク等）、通信手段、表示手段（例えば、モニタ）、入力手段（例えば、キーボードやマウス）を備えている。ユーザは、歩数計３５により歩数を測定し、測定した歩数をパソコン３１の入力手段により入力する。また、ユーザは、運動器具３６により測定した運動量や、身体測定機器３７により測定した身体情報をパソコン３１の入力手段により入力してもよい。運動器具３２は、フィットネスクラブ等の施設に設置された運動器具である。身体測定機器３３は、身長、体重、血圧、体脂肪率等の身体情報を測定する身体測定機器である。
【００２４】
リライタブルカード（以下、単にカードという）４０は、一面に視認可能な情報を記録する画像記録面が配置され、また、他面に磁気記録面が配置されている。画像記録面は、熱記録面等から構成され、画像を形成することにより、任意の情報を視認可能に記録する。なお、ここで画像というときには、文字も含まれるものとする。画像記録面には、後述するように、ユーザの仮想歩行距離やユーザの予想体型や、健康測定の結果等が記録される。磁気記録面には、このカード４０の所有者であるユーザのユーザ識別子、氏名等のユーザ情報、及び、累積消費エネルギーが記録されている。
【００２５】
パソコン３１、運動器具３２、身体測定機器３３に接続されたリライタブルカード処理装置（以下、単にカード処理装置という）５０を、図２に示す。このカード処理装置５０は、図３に示すように、通信部５３、記憶部５５、カード処理部５７及び制御部５９を備えている。通信部５３は、パソコン３１等に接続され、カード４０から読み取った情報をパソコン３１等に通知し、パソコン３１等から通知された情報を制御部５９に通知する。記憶部５５は、カード処理に必要な情報を記憶する。カード処理部５７は、磁気記録部５７１と熱記録部５７３とを備える。磁気記録部５７１は、磁気ヘッドを備え、制御部５９の制御下に、カード４０に配置された磁気記録面に記録された情報を読み取り、更新する。熱記録部５７３は、サーマルヘッドを備え、制御部５９の制御下に、リライタブルカードに配置された画像記録面に記録された情報を消去し、再書き込みを行う。制御部５９は、カード処理部５７を介してカード４０の記録情報を読み込み、パソコン３１等からの情報に従って、磁気記録部５７１及び熱記録部５７３を制御して、カード４０に情報を記録する。
【００２６】
サービスセンタ２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、各種プログラムを備えており、データの送受信、後述するデータの処理等を行う。本実施形態では、この管理コンピュータ２１が、エネルギー換算手段、表示情報生成手段、画像形成手段を備えている。
【００２７】
管理コンピュータ２１には、換算情報記憶部２２、個人情報記憶部２３及び個人履歴記憶部２４が、それぞれ接続されている。
換算情報記憶部２２には、図４に示すように、運動の種類毎に、基準単位系で換算するための換算情報２２０が記憶されている。ここでは、基準単位としてエネルギー単位を用いる。本実施形態では、換算情報２２０は、運動種類ａ１、単位運動量ａ２及び単位消費エネルギーａ３により構成されている。運動種類ａ１は、運動の種類を示すコードであって、例えば、歩行、走行、自転車、運動器具の種類等を指定する。単位運動量ａ２は、消費エネルギーを算出するための基準となる運動量（例えば、歩数）である。そして、それぞれの運動種類ａ１について、単位運動量ａ２に対応する消費エネルギーとして、単位消費エネルギーａ３が設定されている。この換算情報２２０は、本実施形態の処理に先立って予め設定されている。
【００２８】
個人情報記憶部２３には、図５に示すように、ユーザ毎に個人情報２３０が記憶されている。本実施形態では、個人情報２３０は、ユーザ識別子ｂ１、ユーザ氏名ｂ２、サービス種別ｂ３、目標体重ｂ４、目標血圧ｂ５、目標体脂肪率ｂ６、当初体重ｂ７、当初血圧ｂ８、当初体脂肪率ｂ９及び累積消費エネルギーｂ１０により構成されている。ユーザ識別子ｂ１は、本サービスの提供を受けるユーザを識別するための識別子である。ユーザ氏名ｂ２は、ユーザの氏名である。サービス種別ｂ３は、提供するサービスの種類であって、本実施形態では、「箱根駅伝コース」等の仮想コースや、ユーザの予想体型を示す「予想体型表示」等がある。目標体重ｂ４、目標血圧ｂ５及び目標体脂肪率ｂ６は、ユーザが設定した目標数値である。当初体重ｂ７、当初血圧ｂ８及び当初体脂肪率ｂ９は、本サービスの提供開始の際に、ユーザが測定した数値である。累積消費エネルギーｂ１０は、換算量としての消費エネルギーを、本サービスの提供開始から現在まで積算した積算換算量である。この個人情報２３０は、本実施形態の処理に先立って予め設定されている。
【００２９】
個人履歴記憶部２４には、図６に示すように、各ユーザからの運動量に関する情報又は身体測定の情報の提供毎に、各ユーザについての個人履歴情報２４０が記録されている。本実施形態では、個人履歴情報２４０は、ユーザ識別子ｂ１、取得年月日ｃ１、消費エネルギーｃ２、及び、身体情報としての身長ｃ３、体重ｃ４、血圧ｃ５及び体脂肪率ｃ６により構成されている。ユーザ識別子ｂ１は、本サービスの提供を受けるユーザを識別するための識別子である。取得年月日ｃ１は、消費エネルギーｃ２、身長ｃ３、体重ｃ４、血圧ｃ５及び体脂肪率ｃ６のいずれかを測定した年月日である。消費エネルギーｃ２は、管理コンピュータ２１が受信した運動量データの運動量を換算情報２２０に基づいて換算した換算量である。身長ｃ３、体重ｃ４、血圧ｃ５及び体脂肪率ｃ６は、それぞれ身体測定機器により測定された値である。具体的には、これらは、カード処理装置５０が備えられた身体測定機器３３により測定され、又は、カード処理装置５０が備えられていない身体測定機器３７により測定されてパソコン３１にて入力される。そして、その測定情報が、身体測定機器３７又はパソコン３１から管理コンピュータ２１に送信され、個人履歴記憶部２４に記録される。この個人履歴情報２４０は、管理コンピュータ２１が、運動量に関する情報又は身体測定の情報を受信する度に記録される。
【００３０】
次に、上記のように構成されたシステムにおいて、運動量の入力に基づいて仮想歩行距離やユーザの予想体型を示す画像をカード４０に記録する場合の処理手順を説明する。
【００３１】
（仮想歩行距離を示す画像の表示）
まず、運動量の入力に基づいて仮想歩行距離を示す画像をカード４０の画像記録面に記録する場合の処理手順を図７に従って説明する。
【００３２】
ユーザは、歩数計３５を用いて歩数を測定する。そして、ユーザは、パソコン３１のカード処理装置５０のカード挿入口５０ａにカード４０を挿入する。
この場合、パソコン３１は、カード処理装置５０を介して、カード４０の磁気記録面に記録されたユーザ識別子を読み出す（ステップＳ１−１）。次に、ユーザは、パソコン３１に運動量入力画面を表示させ、運動種類として「歩行」を選択し、歩数計３５により測定された歩数を入力する。パソコン３１は、これらの入力を受け入れると（ステップＳ１−２）、ユーザ識別子、運動種類、運動量、及び取得年月日を有する運動量データを管理コンピュータ２１に送信する（ステップＳ１−３）。ここでは、運動種類として「歩行」を示すコードが設定される。運動量として歩数が設定される。取得年月日として、これらのデータが入力された年月日が設定される。
【００３３】
なお、ユーザが、歩行以外の運動を行った場合は、運動量入力画面にて、運動の種類を選択して運動量を入力する。例えば、カード処理装置５０が備えられていない運動器具３６で運動を行った場合は、ユーザは、パソコン３１により、運動量入力画面において、その運動の種類を選択して運動量を入力する。また、運動量の測定及び入力は、カード処理装置５０に接続された運動器具３２にて行ってもよい。この場合、具体的には、ユーザが、運動器具３２を用いて運動を行った場合、運動器具３２が、運動量を測定するとともに、運動量データを管理コンピュータ２１に送信する。ここでは、運動種類として運動器具３２による運動の種類が設定され、運動量として運動器具３２による運動量がそれぞれ設定される。なお、運動器具３２が消費エネルギーを算出する場合は、運動種類として「消費エネルギー算出済」を示すコードが設定され、運動量として消費エネルギーが設定される。この場合、管理コンピュータ２１は、後述するステップＳ１−４における運動量に基づく消費エネルギーの算出を行わない。
【００３４】
運動量データを受信すると、管理コンピュータ２１は、運動量データ中の歩数に基づいて消費エネルギーを算出する（ステップＳ１−４）。具体的には、管理コンピュータ２１は、運動量データ中の運動種類に基づいて換算情報記憶部２２から換算情報２２０を抽出する。そして、その換算情報２２０の単位運動量ａ２及び単位消費エネルギーａ３に基づいて、運動量データの歩数に対応する消費エネルギーを算出する。次に、管理コンピュータ２１は、ユーザ識別子ｂ１、取得年月日ｃ１及び消費エネルギーｃ２を設定した個人履歴情報２４０を個人履歴記憶部２４に記録する（ステップＳ１−５）。ここで、ユーザ識別子ｂ１及び取得年月日ｃ１は、運動量データのユーザ識別子及び取得年月日を用いる。個人履歴情報２４０の消費エネルギーｃ２は、上述の算出した消費エネルギーを用いる。さらに、管理コンピュータ２１は、算出した消費エネルギーを、ユーザ識別子ｂ１により個人情報記憶部２３から読み出した累積消費エネルギーｂ１０に加算する（ステップＳ１−６）。そして、管理コンピュータ２１は、算出された累積消費エネルギーｂ１０を個人情報記憶部２３に記憶する（ステップＳ１−７）。
【００３５】
次に、管理コンピュータ２１は、ユーザ識別子ｂ１により個人情報記憶部２３からサービス種別ｂ３を抽出する（ステップＳ１−８）。ここでは、サービス種別ｂ３として、「箱根駅伝コース」が設定されているものとする。　そして、管理コンピュータ２１は、算出した累積消費エネルギーｂ１０を表示情報に換算する（ステップＳ１−９）。ここでは、管理コンピュータ２１は、予め設定された単位消費エネルギーあたりの歩行距離と、算出した累積消費エネルギーｂ１０とに基づいて歩行距離を算出する。次に、管理コンピュータ２１は、サービス種別ｂ３として設定された「箱根駅伝コース」の表示情報を図示しない記憶部から抽出する。そして、算出した歩行距離に相当する部分を太線で表示するように設定した表示情報を生成する（ステップＳ１−１０）。
【００３６】
ここで、「箱根駅伝コース」が設定されている場合について、カード４０の画像記録面への記録例を図８を用いて説明する。サービス種別ｂ３として「箱根駅伝コース」が設定されている場合、図８に示すように、カード４０の画像記録面に、歩行コースにおける歩行距離と、ヘルスチェックの結果とが記録される。画像記録面には、予め記録された記録済表示６１と、書き換え可能なリライタブル表示６２とが表示されている。リライタブル表示６２としては、ここでは、ユーザ名６３、ユーザ識別子６４、歩行情報６５及びヘルスチェック情報６６が表示される。歩行情報６５は、記録年月日６７、現在の仮想歩行距離を示すメッセージ６８、歩行コースを示す画像６９、目標地点までの距離を示すメッセージ７０である。さらに、歩行コースを示す画像６９においては、現在の仮想歩行距離に対応する部分が太線７１にて表示される。また、ヘルスチェック情報６６は、測定日７２と、体重、血圧、体脂肪率についての直近の測定値７３、当初測定情報７４、及び目標値７５である。
【００３７】
ユーザ名６３及びユーザ識別子６４は、個人情報記憶部２３のユーザ氏名ｂ２及びユーザ識別子ｂ１に基づいて表示される。記録年月日６７は、記録を行った年月日である。メッセージ６８は、累積消費エネルギーｂ１０に基づいて算出した仮想歩行距離、及び、この「箱根駅伝コース」における仮想歩行距離に対応する地名である。画像６９は、「箱根駅伝コース」として予め設定された画像である。そして、仮想歩行距離に対応する部分が太線７１で表示される。メッセージ７０は、出発地点から目的地までの距離と、仮想歩行距離とに基づいて算出された距離を示す。
【００３８】
ヘルスチェック情報６６の測定日７２及び測定値７３は、個人履歴情報２４０に基づいて設定される。また、当初測定情報７４及び目標値７５は、個人情報２３０に基づいて設定される。
【００３９】
管理コンピュータ２１は、この表示情報及び累積消費エネルギーを有するリライタブルカード記録データをパソコン３１に送信する（ステップＳ１−１１）。パソコン３１は、これを受信すると、このリライタブルカード記録データに基づいてカード４０に記録を行う（ステップＳ１−１２）。具体的には、パソコン３１のカード処理装置５０は、リライタブルカード記録データの表示情報に基づいて、カード４０の画像記録面に画像を形成するとともに、磁気記録面に累積消費エネルギーを記録する。
【００４０】
なお、期間を指定して同一コースの参加者間での順位表示を行ってもよい。具体的には、個人履歴情報２４０を用いて、指定された期間のユーザ毎の消費エネルギーを算出し、それに基づいて順位を求める。また、同一コースの参加者間だけでなく、全ユーザにおける順位を表示してもよい。さらに、例えば、第１位の場合には、過去の同一期間における歴代の順位を表示してもよい。また、サービス種別ｂ３を変更することによりサービスを変更してもよい。例えば、「箱根駅伝コース」から他の仮想コースに変更する。この場合、それまでの累積消費エネルギーｂ１０を用いてもよい。
【００４１】
（ユーザの予想体型を示す画像の表示）
次に、運動量の入力に基づいてユーザの予想体型を示す画像をカード４０の画像記録面に記録する場合について説明する。個人情報記憶部２３のサービス種別ｂ３を「予想体型表示」に変更した場合、ユーザの予想体型を示す画像がカード４０の画像記録面に記録される。なお、この場合の処理は、上述のステップＳ１−８において「予想体型表示」が抽出される点、ステップＳ１−９，Ｓ１−１０の処理以外は、上述の仮想歩行距離を示す画像の表示の場合と同様である。
【００４２】
個人情報記憶部２３のサービス種別ｂ３が「予想体型表示」に変更された場合、上述のステップＳ１−８において、サービス種別ｂ３として「予想体型表示」が抽出される。そして、管理コンピュータ２１は、ステップＳ１−９において、予想体型を求める。具体的には、管理コンピュータ２１は、個人履歴情報２４０の身長ｃ３、体重ｃ４、血圧ｃ５、体脂肪率ｃ６に基づいてユーザの予想体型を求め、例えば、「痩せ過ぎ」から「太り過ぎ」までの各段階に振り分ける。このとき、管理コンピュータ２１は、個人情報２３０の累積消費エネルギーｂ１０や、個人情報２３０の当日の消費エネルギーｃ２に基づいて、予想体型についての段階の振り分けを調整する。
【００４３】
そして、ステップＳ１−１０において、管理コンピュータ２１は、ユーザの体型を示す画像を示す表示情報を生成する。具体的には、管理コンピュータ２１は、振り分けられた体型を示す画像を表示する表示情報を生成する。この場合、画像記録面に、図９（ａ）に示す太り過ぎの人物像８１や、図９（ｂ）に示す痩せ気味の人物像８２が表示される。なお、ユーザの予想体型を示す画像は、ユーザの写真を用いて合成したものであってもよい。
【００４４】
以上、本実施形態によれば、以下に示す効果を得ることができる。
・　上記実施形態では、カード４０に画像を記録する。従って、記録した画像が書き換え可能である。また、カード４０は軽量であるため、携帯が容易であり、ユーザが常に持ち歩くことができる。また、複数枚を携帯してもあまりかさばらないため、ユーザが複数のサービスを希望する場合には、複数のカード４０を用いることが可能となる。
【００４５】
・　上記実施形態では、歩数計３５により計測された歩数をパソコン３１から入力するほか、運動器具３２にて運動量を計測する。そして、運動の種類毎、それぞれ運動量に基づいて消費エネルギーを算出し、その消費エネルギーに基づいて画像を表示する。このため、異なる種類の運動についても、それぞれ消費エネルギーに換算して、歩行距離や予想体型といった方法で表示できる。
【００４６】
・　上記実施形態では、カード４０の磁気記録面にユーザ識別子ｂ１を記録し、そのユーザ識別子ｂ１を用いて管理コンピュータ２１にアクセスする。このため、異なるパソコン３１、運動器具３２、身体測定機器３３を用いて、それぞれカード４０に画像を書き込むことができる。
【００４７】
・　上記実施形態では、サービス種別ｂ３を変更することで、同じユーザに対して異なる画像をカード４０に記録できる。このため、ユーザは、カード４０への記録を希望する内容を選択し、必要な情報をカード４０に記録できる。
【００４８】
・　上記実施形態では、運動量を消費エネルギーに変換し、その消費エネルギーを累積した累積消費エネルギーに基づいて歩行距離を算出する。そして、カード処理装置５０により、歩行距離を示す画像をカード４０の画像記録面に記録する。このため、ユーザの運動量に基づいて、その運動量に対応する歩行距離を示す画像をカード４０上に形成できる。従って、ユーザの運動量を歩行距離として視認可能に記録でき、ユーザの運動に対する意欲を高めることが可能となる。
【００４９】
・　上記実施形態では、仮想コースにおけるユーザの位置を運動量に基づいて算出した歩行距離に従って求める。そして、カード４０に、仮想コースを記録するとともに、その仮想コースの出発地点からユーザの位置までを太線で表示する。このため、ユーザの運動量を、仮想コースにおけるユーザの位置として示すことができる。
【００５０】
・　上記実施形態では、運動量に基づいて算出した消費エネルギーとユーザの身体測定の情報とに基づいて、ユーザの予想体型をカード４０に記録する。このため、カード４０上の予想体型により、ユーザに健康促進について注意を促すことができる。
【００５１】
・　上記実施形態では、ユーザはカード４０を携帯し、記録された画像を自分が見ることで、健康促進のための運動の意欲を高めることができる。また、必要があれば、そのカード４０を他の人に見せることができ、自分の運動量等を他の人に提示できる。
【００５２】
なお、上記実施形態は、以下の態様に変更してもよい。
・　上記実施形態では、運動量を消費エネルギーに換算し、その消費エネルギーを累積した累積消費エネルギーに基づいて歩行距離を算出する。これに代えて、運動量を消費エネルギーに換算せずに、直接、歩行距離に換算し、その歩行距離を累積して、それに基づいて画像を表示してもよい。
【００５３】
・　上記実施形態では、仮想歩行距離を太線７１で示したが、カラー表示（例えば、赤色）で示してもよい。
・　上記実施形態では、予め定めた地点の地名を表示した。これに代えて、地名の表示は、ナビゲーションシステムで用いる地図情報を利用して、ユーザの位置の地名を取得して行ってもよい。このようにすることで、より詳しい地名を表示することができ、より現実味がある表示を行うことができる。
【００５４】
・　上記実施形態では、ユーザの運動量及び身体情報に基づいて予想体型を表示したが、さらに、ユーザの食物摂取量を加味して予想体型を表示してもよい。この場合、レストラン等にカード処理装置５０を備えたパソコン３１を設け、食事のメニューを選択することにより、食物摂取量が自動的に入力されるようにしてもよい。そして、食物摂取量が入力された場合、摂取エネルギー（摂取換算量）を算出し、累積消費エネルギーｂ１０から摂取エネルギーを差し引いて算出した換算量に基づいて表示を行ってもよい。この場合、例えば、食物摂取量が過剰である場合は、太り気味の予想体型を表示するようにしてもよい。また、食物摂取量が過剰である旨のメッセージを表示してもよい。このようにすることで、食物摂取量についてもユーザに注意を促すことができる。
【００５５】
・　上記実施形態では、サービスセンタ２０に換算情報記憶部２２及び個人情報記憶部２３を設けた。これに代えて、換算情報記憶部２２は、パソコン３１や運動器具３２にそれぞれ設けてもよい。そして、そのパソコン３１や運動器具３２が、運動量を消費エネルギーに換算したり、その消費エネルギーを画像情報に変換する機能を有していてもよい。また、個人情報２３０は、カード４０の磁気記録面に記録してもよい。
【００５６】
・　上記実施形態では、カード４０に仮想歩行距離等を記録したが、これに加えて、翌日の歩行距離や食事についてのアドバイスを表示してもよい。また、これらのアドバイスは、消費エネルギー、年齢、体重、体脂肪率等に関連付けて予め設定しておき、自動的に選択できるようにしてもよい。
【００５７】
・　上記実施形態では、カード４０に仮想歩行距離等を記録したが、これに加えて、注意が必要な病名等により警告表示を行ってもよい。
・　上記実施形態では、歩数計３５により歩数を測定し、測定した歩数を、ユーザがパソコン３１にて入力した。これに代えて、歩数計３５をパソコン３１に接続することにより、歩数を自動的に入力させてもよい。また、規定コースを設け、その規定コースの距離に関する情報をユーザに提供し、ユーザが距離を入力してもよい。
【００５８】
・　上記実施形態では、パソコン３１にて歩数等の入力を行ったが、歩数等の入力を行うパソコン３１は、カード処理装置５０を備えていなくてもよく、別のタイミングでカード４０への記録を行ってもよい。
【００５９】
・　上記実施形態では、画像記録面と磁気記録面とを有するカード４０を用いて、画像記録面に画像を形成する一方、磁気記録面に電子情報を記録したが、本発明のリライタブルカードは、これに限定されるものではない。例えば、リライタブルカードは、一面に画像記録面を有し、内部にＩＣチップを備えたＩＣカードであってもよい。そして、画像記録面に画像を形成する一方、ＩＣチップに電子情報を記録してもよい。
【００６０】
・　上記実施形態では、運動器具３２、身体測定機器３３にそれぞれカード処理装置５０を接続した。また、カード処理装置５０が接続されていない運動器具３６、身体測定機器３７を用いる場合は、ユーザがパソコン３１にて測定情報を入力した。これに代えて、カード処理装置５０を接続したパソコン３１に、運動器具３６や身体測定機器３７を接続し、測定情報を自動的に入力させてもよい。また、カード処理装置５０を接続したパソコン３１に複数の運動器具３６や身体測定機器３７を接続してもよい。このようにすることで、運動器具３６、身体測定機器３７での測定情報を自動的に入力できるとともに、用意するカード処理装置５０の数を削減でき、システムの構築費を抑制できる。
【００６１】
【発明の効果】
以上詳述したように、本発明によれば、健康促進のための運動に対する意欲を高めることができる。
【図面の簡単な説明】
【図１】本発明の一実施形態のシステム概略図。
【図２】リライタブルカード及びリライタブルカード処理装置の斜視図。
【図３】リライタブルカード処理装置のブロック回路図。
【図４】換算情報記憶部に記憶されたデータの説明図。
【図５】個人情報記憶部に記憶されたデータの説明図。
【図６】個人履歴記憶部に記憶されたデータの説明図。
【図７】本発明の一実施形態の処理手順の説明図。
【図８】リライタブルカードの表示内容の説明図。
【図９】（ａ），（ｂ）とも、リライタブルカードの表示内容の説明図。
【符号の説明】
２１…管理コンピュータ、４０…リライタブルカード、５０…リライタブルカード処理手段としてのリライタブルカード処理装置。
【図１】
2004121530.tif 000003
【図２】
2004121530.tif 000004
【図３】
2004121530.tif 000005
【図４】
2004121530.tif 000006
【図５】
2004121530.tif 000007
【図６】
2004121530.tif 000008
【図７】
2004121530.tif 000009
【図８】
2004121530.tif 000010
【図９】
2004121530.tif 000011